(57)【要約】ゴルフ手袋にグリップ固定用バンドを着脱自在にし、これによりゴルフクラブのグリップをより堅く把持して、ゴルフのスイングを安定的になし得るようにするグリップ固定用バンドが付着された左手用ゴルフ手袋。前記左手用ゴルフ手袋は、手甲布地２１、掌布地２３及び母指布地２４からなり、グリップ固定用バンド２５の一端部２５ａが前記手甲布地２１上に付着され、前記グリップ固定用バンド２５の他端部２５ｃが手袋の手刃部２１ａ側に巻かれ、前記掌布地２３のうちゴルフクラブのグリップ４０と接触する部分を覆った後、右手３０で握ることができる程度の長さを有するように延長される。
2009506862.tif 000002
【特許請求の範囲】
【請求項１】
手甲布地２１、掌布地２３及び母指布地２４からなる左手用ゴルフ手袋において、
グリップ固定用バンド２５の一端部２５ａが前記手甲布地２１上に付着され、前記グリ
ップ固定用バンド２５の他端部２５ｃが手袋の手刃部２１ａ側に巻かれて、前記掌布地２
３のうちゴルフクラブのグリップ４０と接触する部分を覆った後、右手３０で握ることが
できる程度の長さを有するように延長されることを特徴とする、グリップ固定用バンドが
付着された左手用ゴルフ手袋。
【請求項２】
前記グリップ固定用バンド２５の一端部２５ａは、前記手甲布地２１上に着脱自在に付
着されることを特徴とする、請求項１に記載のグリップ固定用バンドが付着された左手用
ゴルフ手袋。
【請求項３】
前記グリップ固定用バンド２５の他端部２５ｃは、手袋の周りに１回巻かれてから引っ
張られた状態で前記手甲布地２１上に着脱自在に付着されることを特徴とする、請求項１
に記載のグリップ固定用バンドが付着された左手用ゴルフ手袋。
【請求項４】
前記グリップ固定用バンド２５には、前記掌布地２３のうちゴルフクラブのグリップ４
０との摩擦が最もひどい左側下部Ａに対応する広幅の把持部２５ｂが形成されることを特
徴とする、請求項１ないし３のいずれか一項に記載のグリップ固定用バンドが付着された
左手用ゴルフ手袋。
【請求項５】
前記グリップ固定用バンド２５は、摩擦力に優れた天然皮からなることを特徴とする、
請求項４に記載のグリップ固定用バンドが付着された左手用ゴルフ手袋。
【発明の詳細な説明】
【技術分野】
【０００１】
本発明はグリップ固定用バンドが付着された左手用ゴルフ手袋に係り、より詳しくは、
ゴルフ手袋にグリップ固定用バンドを着脱自在にし、これによりゴルフクラブのグリップ
をより堅く把持することで、ゴルフのスイングを安定的に行えるようにするグリップ固定
用バンドが付着された左手用ゴルフ手袋に関するものである。
【背景技術】
【０００２】
図１はゴルフ手袋を着用してゴルフクラブのグリップを握る一般的な把持法を示す。両
手にゴルフ手袋を着用する場合もあるが、左手にだけゴルフ手袋を着用することが一般的
なので、本明細書に添付する図面はいずれも左手にだけゴルフ手袋を着用した状態を示す
。
【０００３】
ゴルフクラブのグリップを把持する方法は、まずゴルフ手袋を着用した左手２でゴルフ
クラブのグリップ１の端部を握り、母指３をグリップ１上に載せる。その後、右手５の掌
が前記左手２の母指３を覆うように握り、母指６と人差し指７でグリップの前部を柔らか
に握る。
【０００４】
このような方法でグリップ１を把持してスイングを行うことになる。この際、最も重要
なのは、両手がいつも一緒に動かなければならないことである。そうでなくて、スイング
時に発生する遠心力により離されるか、あるいはグリップ１から滑ってしまえば、打点が
揺れてゴルフボールを所望の所に送ることができなくなる。このような問題点を解決する
ために、素人の場合は変形把持法を使用する。図１に示すように、右手の小指８を左手の
人差し指４にかけて両手を一体化する方法がそれである。しかし、このような把持法を使
用する場合、前記両指４、８はグリップ１を握るのに使用することができないから、その
分だけ、グリップを握る握力が弱くなり、これにより力の伝達が低下して飛距離が減少す
る問題点があった。
【０００５】
また、ゴルフボールの飛距離を増大させるためには、両手でグリップをどのくらい堅く
把持するかが重要である。特に、ゴルフクラブを把持してスイングするとき、力の伝達は
８０％以上が左手によってなされるから、左手の掌部でゴルフクラブのグリップ１をどの
くらい堅く把持するかが何よりも重要である。しかし、図１に示すように、左手にゴルフ
手袋を着用してスイングを繰り返してみると、左手の掌部、そのうちでも肉厚な左側下部
でグリップ１との摩擦が激しくて、易しく擦れることになる。これにより、ゴルフ手袋を
頻繁に取り替えなければならない煩わしさが生ずるだけでなく、その部分が多く擦れるこ
とになれば、グリップ１との摩擦力が減少して左手の握力が低下する原因になる。その結
果、スイングの際、力の伝達が低下して飛距離が減少する。
【０００６】
このような問題点を解決するために、グリップを把持する左手の握力を高めるための様
々な方法が講究された。その一つが大韓民国登録実用新案第２３０１２９号に開示されて
いる。この方法は、図２に示すように、左手用ゴルフ手袋１０の母指１１部分に締結バン
ド１２を付着して、左手でゴルフクラブ１６のグリップ１５を巻いて握った後、前記締結
バンド１２でグリップ１５を巻いて固定させるのである。この際、締結バンド１２は、母
指１１部分に設けられたループパイル１３と、締結バンド１２の端部に設けられたフック
パイル１４とを付着してベルクロ方式で結合させる。
【０００７】
しかし、このようなゴルフ手袋を使用しても、グリップ１５との摩擦力を高める目的で
備えた締結バンド１２のうち、グリップ１５と触れる部分があまり小さいから、実質的な
摩擦力増加の効果が低かった。そして、図１に示すように、クラブを把持するとき、右手
で握る部分である左手母指に別の締結バンド１２を付着したから、むしろ右手の把持を邪
魔する問題点があった。
【０００８】
また、前述したように、左手の握力を増加させるために、グリップと最も多く接触する
部分である左手の掌に対する摩擦力を増大させる必要があるが、図２に示すゴルフ手袋に
は何らの手段が備えられなくて、左手の握力を増加させるのに実質的に役立てることがで
きなかった。
【発明の開示】
【発明が解決しようとする課題】
【０００９】
したがって、本発明はこのような問題点を解決するためになされたもので、ゴルフ手袋
に別のグリップ固定用バンドを付着し、この固定用バンドが左手の掌全面と接触するよう
にしてグリップとの摩擦力を増大させ、前記固定用バンドを左手と右手が共に握るように
して両手を一体化させるようにする、グリップ固定用バンドが付着された左手用ゴルフ手
袋を提供することにその目的がある。
【課題を解決するための手段】
【００１０】
前記の目的を果たすための本発明によるグリップ固定用バンドが付着された左手用ゴル
フ手袋は、手甲布地、掌布地及び母指布地からなる左手用ゴルフ手袋において、グリップ
固定用バンドの一端部が前記手甲布地上に付着され、前記グリップ固定用バンドの他端部
が手袋の手刃部側に巻かれ、前記掌布地のうちゴルフクラブのグリップと接触する部分を
覆った後、右手で握ることができる程度の長さを有するように延長される。
また、前記グリップ固定用バンドの一端部は、前記手甲布地上に着脱自在に付着される
。また、前記グリップ固定用バンドには、前記掌布地のうちゴルフクラブのグリップとの
摩擦が最もひどい左側下部に対応する広幅の把持部が形成される。また、前記グリップ固
定用バンドは摩擦力に優れた天然皮から作られる。
【発明の効果】
【００１１】
本発明のグリップ固定用バンドが付着されたゴルフ手袋によれば、ゴルフクラブを把持
するとき、左手と右手をより堅く一体化し、スイングの際、グリップの滑りを効果的に防
止することができるので、スイングの正確度及び飛距離の向上に大いに役立つ。この上、
ゴルフクラブとの摩擦によりゴルフ手袋が擦れることを防止するので、手袋をより長く使
用することができる。
【発明を実施するための最良の形態】
【００１２】
本発明の前記及び他の目的、特徴及び利点は添付図面を参照する以降の詳細な説明から
明らかになるであろう。
以下、添付図面に示す例に基づいて本発明の好ましい実施例をより詳細に説明する。図
面において、同一符号は同一または類似の部分を指示するのに使用される。
【００１３】
図３及び図４は、本発明によるグリップ固定用バンドが付着された左手用ゴルフ手袋の
構成を示す。まず、ゴルフ手袋の一般的な構成を調べると、母指を除いた四つの指部分が
一緒に裁断された手甲布地２１、掌布地２３、及びこれらと別に設けられた母指布地２４
からなっている。前記手甲布地２１と掌布地２３に含まれた四つの指部分はその両側が連
結布２２を介して縫着されることにより、指を収容することができる空間が形成される。
手袋によっては、前記手甲布地２１及び掌布地２３の指部分を広く裁断した後、前記連結
布２２なしに直接縫着する場合もある。
【００１４】
このように構成されたゴルフ手袋に、本発明による最も特徴的な技術構成と言えるグリ
ップ固定用バンド２５が付着される。特に、本発明は、ゴルフクラブのグリップを把持す
るのに最も重要な役目をする左手の握力を高めるためのものであるので、前記グリップ固
定用バンド２５は左手用ゴルフ手袋に付着される。
【００１５】
前記グリップ固定用バンド２５は所定長さの帯状に製造され、その一端部２５ａが前記
手甲布地２１上に付着される。前記グリップ固定用バンド２５は、前記手甲布地２１上に
一体的に付着されることができる。しかし、手袋の手甲布地２１のうち、手袋を嵌めるか
脱ぐのに使用される締結フラップ２７の近くにベルクロテープ２６を別に付着し、ここに
前記グリップ固定用バンド２５の一端部２５ａを着脱自在に付着することにより、必要な
場合にだけ付着して使用することがより好ましい。
【００１６】
一方、前記グリップ固定用バンド２５の他端部２５ｃは手袋の手刃部２１ａ側に巻かれ、
前記掌布地２３のうちゴルフクラブのグリップ４０と接触する部分を覆った後、右手３０
で握ることができる程度の長さを有するように延長される。グリップ固定用バンド２５に
この程度の長さを持たせた理由は、左手用手袋の手刃部２１ａ側で握ったバンドを右手で
共に握ることができるようにすることで、バンドを介して両手が一体化できるようにする
ためである。
【００１７】
特に、前記グリップ固定用バンド２５には、前記掌布地２３のうち、グリップとの摩擦
が最もひどい左側下部Ａに対応する広幅の把持部２５ｂを形成することが好ましい。前述
した把持法によれば、左手用ゴルフ手袋２０の掌布地２３のうち、左側下部Ａがゴルフス
イングの際にゴルフクラブのグリップと最もひどく摩擦する部分になって多く擦れること
になる。このため、ゴルフ手袋を頻繁に取り替えなければならなく、グリップとの摩擦力
が減少するから、スイングの正確度及び飛距離が低下するというのは前述したようである
。
【００１８】
本発明では、このような問題点を解決するために、グリップ固定用バンド２５のうち、
前記掌布地２３の左側下部Ａに触れる把持部２５ｂの幅を広めてグリップとの摩擦面積を
増加させ、掌布地２３とグリップが直接触れることをまったく遮断して、手袋の擦れを効
果的に防止するようにした。
【００１９】
ゴルフ手袋は、通常費用を考慮して安価の人造皮で製造する。しかし、一般に人造皮よ
り天然皮が摩擦力においてもっと優秀なので、本発明によるグリップ固定用バンドは天然
皮で作ることが好ましい。これにより、ゴルフクラブのグリップが直接接触する部分はい
ずれも天然皮のグリップ固定用バンドと触れるから、天然皮からなった高価のゴルフ手袋
を使用することと同等な効果を得ることができる。
【００２０】
図５及び図６は前記のように構成された本発明によるグリップ固定用バンドが付着され
た左手用ゴルフ手袋を利用した把持過程を示す。
【００２１】
まず、図５に示すように、使用者は、左手に本発明によるゴルフ手袋２０を着用した後
、グリップ固定用バンド２５を手袋の手刃部側で握り、前記グリップ固定用バンドが掌布
地２３のうちゴルフクラブのグリップ４０と直接接触するようにする。特に、グリップ固
定用バンド２５の位置を調節することで、前記掌布地２３の左側下部Ａに触れるグリップ
４０の全体がグリップ固定用バンドに接触するようにする。これにより、グリップ４０と
掌布地２３間の摩擦力が増加するので、スイングの際に左手が滑ることを防止することが
できる。この際、グリップ固定用バンド２５を強く引っ張りながら握れば、左手の左側下
部Ａの肉が引かれてグリップをしっかりと握るから、滑りを一層効果的に防止することが
できる。
【００２２】
その後、図６に示すように、右手３０の母指３１が左手の母指２８を覆うように握ると
同時にグリップ固定用バンド２５を握る。前記のように、グリップ固定用バンド２５の他
端部２５ｃは右手で握ることを考慮して充分に長く作られる。前記のような把持法によっ
て、グリップ固定用バンド２５を利用してゴルフクラブを把持すれば、グリップ固定用バ
ンド２５を介して両手が一体化するから、グリップを一層堅く固定させることができるの
で、スイングの正確度及び飛距離が向上する。
【００２３】
特に、前記のような把持法によれば、両手が一体化するから、図１及び図６を比較すれ
ば分かるように、右手の小指３２を左手の人差し指２９との間に差し込む必要がないので
、すべての指をゴルフクラブのグリップを把持するのに使用することができる、これによ
り握力がもっと増加するので、スイングの正確度及び飛距離が向上する。
【００２４】
図７は本発明によるゴルフ手袋を利用した他の把持法を示す。この把持法は、図５及び
図６に示した方法とほとんど同じであるか、グリップ固定用バンド２５の他端部２５ｃを
右手の人差し指３３に巻いて握るという点で違いがある。このように、グリップ固定用バ
ンド２５の他端部２５ｃを右手で巻いて握れれば、少し煩わしい点はあるが、左手と右手
が一層堅く一体化するから、より優れた効果を得ることができる。
【００２５】
最後に、図８及び図９は本発明によるさらに他の把持法を示す。前述した説明をまとめ
ると、本発明による技術的効果は、一つ目、グリップ固定用バンド２５を介して左手と右
手を一体化し、二つ目、グリップ固定用バンド２５をしっかりと握って左手の握力を増加
させることにより、ゴルフスイングの正確度及び飛距離を増大させるものである。
【００２６】
ゴルフの素人段階を脱してスイングに慣れれば、両手の一体化がどのくらいなされるか
ら、グリップ固定用バンド２５の前記第１効果に対する寄与度が減少する。よって、両手
の一体化のために、左手で握ったグリップ固定用バンド２５を敢えて右手で握る必要がな
い。この場合は、図８及び図９に示すように、グリップ固定用バンド２５の他端部２５ｃ
上にフックパイル２５ｄを設け、手袋の手甲布地２１の一地点にループパイル２６ａを設
け、グリップ固定用バンド２５を手袋の周りに１回巻いた後、ぴんと引っ張られた状態で
ベルクロテープで結合させることがもっと好ましい。ベルクロテープの結合により左手の
握力が一層増加するので、前記のようなグリップ固定用バンド２５の二番目効果に対する
寄与度がより向上するからである。
【００２７】
このように、前記グリップ固定用バンド２５の他端部２５ｃを手袋の周りに１回巻いて
から引っ張った状態で前記手甲布地２１上に着脱自在に付着されるように構成すれば、図
５〜図９に基づいて説明した様々な把持法のいずれも用いることができるので、一層便利
である。
【産業上の利用可能性】
【００２８】
前述したように、本発明のグリップ固定用バンドが付着されたゴルフ手袋によれば、ゴ
ルフクラブを把持するとき、左手と右手をより堅く一体化し、スイングの際、グリップの
滑りを効果的に防止することができるので、スイングの正確度及び飛距離の向上に大いに
役立つ。この上、ゴルフクラブとの摩擦によりゴルフ手袋が擦れることを防止するので、
手袋をより長く使用することができる。
【図面の簡単な説明】
【００２９】
【図１】一般的なゴルフクラブの把持法を示す図である。
【図２】従来のグリップ固定用バンドが付着された左手用ゴルフ手袋を示す図である。
【図３】本発明によるグリップ固定用バンドが付着された左手用ゴルフ手袋を示す図である。
【図４】図３の掌部を示す図である。
【図５】本発明による把持法を示す図である。
【図６】本発明による把持法を示す図である。
【図７】本発明による他の把持法を示す図である。
【図８】本発明によるさらに他の把持法を示す図である。
【図９】本発明によるさらに他の把持法を示す図である。
【図１】
2009506862.tif 000003
【図２】
2009506862.tif 000004
【図３】
2009506862.tif 000005
【図４】
2009506862.tif 000006
【図５】
2009506862.tif 000007
【図６】
2009506862.tif 000008
【図７】
2009506862.tif 000009
【図８】
2009506862.tif 000010
【図９】
2009506862.tif 000011
【国際調査報告】
2009506862.tif 000012
2009506862.tif 000013